(57)【要約】      （修正有）【課題】よりバリエーションに富んだ使い方ができ、その結果として診断行為にもバリエーションを持たせることができるカラーセラピー用カード及びカードセットを提供する。【解決手段】少なくとも片面に特定の色が施されたカラーセラピー用カードであって、前記片面に前記特定の色と共に前記特定の色以外の色で表示された非対称模様１４と、他面に表示された前記特定の色に対応する色の名称１６及び複数の診断ワード１８と、を備えてカラーセラピー用カード及びカードセットを構成する。【選択図】図１
0003163519.tif 000002
【実用新案登録請求の範囲】
【請求項１】
少なくとも片面に特定の色が施されたカラーセラピー用カードであって、
前記片面に色と共に表示された非対称模様と、
他面に表示された前記特定の色に対応する複数の診断ワードと、を備える
ことを特徴とするカラーセラピー用カード。
【請求項２】
請求項１において、
前記複数の診断ワードには前記特定の色の名称が含まれている
ことを特徴とするカラーセラピー用カード。
【請求項３】
請求項１又は２において、
全面が樹脂フィルムでラミネート処理されている
ことを特徴とするカラーセラピー用カード。
【請求項４】
請求項１〜３のいずれかにおいて、
大きさが名刺大とされている
ことを特徴とするカラーセラピー用カード。
【請求項５】
請求項１〜５のいずれかに記載のカラーセラピー用カードが、複数の色のバリエーションとして用意されているカラーセラピー用カードセット。
【請求項６】
請求項５において、各カードにおける前記片面には、前記非対称模様に加えて名刺情報が表示されている
ことを特徴とするカラーセラピー用カードセット。
【考案の詳細な説明】
【技術分野】
【０００１】
本考案は、色彩を利用して人間の心の診断を行うカラーセラピーの技術分野に関する。
【背景技術】
【０００２】
カラーセラピーとは、主として「色」を利用して人の潜在意識や顕在意識を読み解くことで、人間が受けるストレス等に対処したり、更には、自分を見つめ直すために行われる診断行為である。このカラーセラピーは、予め用意した複数の色から意識的又は無意識的に選択した色によって、その人の精神状態等を分析し、アンバランスな部分を修正したり、今後どういった手段を選択するのが良いのか等をアドバイスする。このように、特定の色を目にしたときの人間の心理や生理現象を応用し、「色」によって人の心を癒すことなどを主たる目的としている。
【０００３】
カラーセラピーの手法には様々なものが存在し、ホワイトボード等に複数の色が区画された標示物を用いて診断することもあれば、溶液入りのボトル（色付き）が利用されたり、更には色付きカードが利用されることもある。
【０００４】
これらのうち、カラーセラピー用のカードとして特許文献１に記載の発明が公知である。この特許文献１に記載のカラーセラピー用カード（カードセット）は、トランプ大の大きさに形成され、片面が２色に塗り分けられたものである。
【先行技術文献】
【特許文献】
【０００５】
【特許文献１】特開２００３−１５００５３号公報
【考案の概要】
【考案が解決しようとする課題】
【０００６】
特許文献１のカードは、単に片面が２色に塗り分けられていて、その色分けも左右若しくは上下等が対称になるように色分けされているに過ぎず、使い道が限られるばかりか、同じカードに異なる２色が配置されているので、却ってカラーセラピーとして診断が行い難い（他の色の影響を受けてしまう）場合があった。
【０００７】
そこで本考案は、よりバリエーションに富んだ使い方ができ、その結果として診断行為にもバリエーションを持たせることができるカラーセラピー用カード及びカードセットを提供することをその目的としている。
【課題を解決するための手段】
【０００８】
上記目的を達成するべく、請求項１に記載の本考案は、少なくとも片面に特定の色が施されたカラーセラピー用カードであって、前記片面に色と共に表示された非対称模様と、他面に表示された前記特定の色に対応する複数の診断ワードと、を備えることを特徴とする。
【０００９】
また請求項２に記載の考案は、請求項１に加えて、前記複数の診断ワードには前記特定の色の名称が含まれていることを特徴とする。
【００１０】
また請求項３に記載の考案は、請求項１又は２に加えて、全面が樹脂フィルムでラミネート処理されていることを特徴とする。
【００１１】
また請求項４に記載の考案は、請求項１〜３に加えて、大きさが名刺大とされていることを特徴とする。
【００１２】
また請求項５に記載の考案は、請求項１〜５のいずれかに記載のカラーセラピー用カードが、複数の色のバリエーションとして用意されているカラーセラピー用カードセットとして発明を捉えたものである。
【００１３】
また請求項６に記載の考案は、請求項５に加えて、各カードにおける前記片面には、前記非対称模様に加えて名刺情報が表示されていることを特徴とする。
【考案の効果】
【００１４】
請求項１に記載の考案により、診断のバリエーションが広がる。例えば、カードの片面には色と共に非対称模様が表示されているので、この非対称模様を利用してカードを好みの方向（例えばその模様を見て一番しっくりする方向）に回転等し、その方向に何らかの意味を与えるような診断ができる。更に、カードの裏面（他面）には、カードの色に対応する言葉（例えば「静寂」、「飛躍」といった意味のある言葉）が複数表示されているので、選択したカードに記載されているこれら複数の診断ワードから更に好みの（若しくは好みでない）言葉等を選択させるといった診断が可能となる。
【００１５】
請求項２に記載の考案により、色彩として視覚を通じて得られた感覚に加えて、文字情報として色を伝えることができ、診断をより確実なものにすることができる。
【００１６】
請求項３に記載の考案により、繰り返し使用によるカードの折損、汚損等を防止でき、長期間に渡って正確な色を表現し続けることができる。
【００１７】
請求項４に記載の考案により、数多く存在する名刺入れ（カードケース）を利用して収納することができると共に、携帯性が向上する。
【００１８】
請求項６に記載の考案により、当該カードを名刺として利用することができると共に、名刺交換をする際に簡易的なカラーセラピーを行なうことができるので、相手に対して自己を強く印象付けるアイテムとして利用することができる。
【図面の簡単な説明】
【００１９】
【図１】（ａ）は本考案にかかるカラーセラピー用カードの正面図、（ｂ）は同背面図である。
【図２】図1における矢示ＩＩ−ＩＩ線に沿う断面図である。
【図３】名刺情報を表示したカードを用いて名刺交換する際のイメージ図である。
【考案を実施するための形態】
【００２０】
以下、添付図面を参照しつつ、本考案に係るカラーセラピー用カードの実施形態の一例につき詳細に説明を加える。
【００２１】
〈カラーセラピー用カードの構成〉
本考案にかかるカラーセラピー用カード1は、少なくともその表面（片面）１０ａに特定の色が施されたカラーセラピー用カードであって、この表面１０ａには特定の色と共に表示された非対称模様１４と、裏面（他面）１０ｂに表示された複数の診断ワードと、を備えている。またこの診断ワードは表面１０ａの色に対応している。
【００２２】
カラーセラピー用１は、カード本体１０に対してその全面が透明な樹脂製のフィルム１２でラミネート処理されている。更にこのラミネート処理された状態での縦横の寸法が丁度名刺大の大きさとされている。より具体的には、長さＬが約９センチメートル、幅Ｗが約５．５センチメートルのサイズである。
【００２３】
また表面１０ａには、上下左右などいずれの方向からも見ても非対称な非対称模様１４が表示されている。本実施形態においては、波のような模様が表示されている。
【００２４】
一方、裏面１０ｂには、上方に表面１０ａの色に対応する色の名称１６が記載されており、その下に、同様に表面１０ａの色に対応する言葉（ここではＡＡＡＡ、ＢＢＢＢと表現しているが、実際には「静寂」、「飛躍」といった意味のある言葉）１８が複数（本実施形態では４つ）記載されている。なおこれら色の名称１６や色に対応する言葉１８が「診断ワード」となる。
【００２５】
なお、ここでは特定の一枚のカード１を例に説明しているが、表面１０ａに表現されている色には沢山のバリエーションが存在し、更にこのバリエーションの色毎に裏面１０ｂに記載されている診断ワード（色の名称１６、色に対応する言葉１８）は異なる。一方、表面１０ａに表示される非対称模様１４は、いずれの色のカードでも同じ非対称模様として備わっている。
【００２６】
〈カラーセラピー用カードの作用・機能〉
次に、カラーセラピー用カード１の使い方と共に、その作用・機能を説明する。
【００２７】
カラーセラピストは、当該カード１がバリエーションとして複数用意されたカードセットを用いて診断行為を行なう。例えば、机上に数枚のカード１を配列し、その中から相手に特定のカードを選択させる。この選択の際には一定の制約を加えたりする場合もある。例えば、「一番好きな色のカードはどれですか？」、「一番嫌いな色のカードはどれですか？」といったような制約である。
【００２８】
このようにして選択されたカード１にはそれぞれ、表面１０ａの色に対応する診断ワードが裏面１０ｂに複数表示されているので、この診断ワードの中から、更に選択をさせる。この時においても、選択の際には一定の制約を加えたりする場合もある。例えば、「一番好きな言葉はどれですか？」、「一番嫌いな言葉はどれですか？」、「一番気になる言葉はどれですか？」といったような制約である。
【００２９】
また、全てのカード１の表面１０ａには非対称模様１４が表示されているので、例えば最終的に選択した（辿り着いた）カード１を利用して、所望の方向（例えば自分で見て一番しっくり感じる方向、診断ワードの意味を一番的確に表現できると考える方向など）にカード１の向きを決定させる。この決定した向きに対して何らかの診断アドバイスが提供される。
【００３０】
このように、本考案に係るカラーセラピー用カード１（及びカードセット）は、単に色付きのカードというだけでなく、表面１０ａに表現された非対称模様１４や、裏面１０ｂに表示された診断ワードの存在によって、診断にバリエーションを持たせることができる。その結果、癒しのみならず積極的にモチベーションの向上を図るなど気持ちを前向きにさせる（前進させる）ような診断を行うことも可能となる。
【００３１】
また、本考案に係るカード１は名刺大の大きさとされているので、カードケース（図示していない）に収容でき携帯に便利である。
【００３２】
〈その他の実施形態〉
上記では、非対称模様１４として波様の模様が表現されていたが、これに限られるものではない。上下左右等いずれの方向から見ても非対称である限りその他様々な模様を利用することが可能である。
【００３３】
また上記では、カード全体がラミネート処理されていたが、これは必須の要件ではなく、単にカード本体１０のみで構成されていても耐久性の面では劣るものの、同様の効果を発揮し得る。
【００３４】
また上記では、表面１０ａに特定の色と非対称模様１４が表示されているに過ぎなかったが、例えば図３に示しているように、表面１０ａに名刺情報（社名２０、氏名２２、会社住所２４などの名刺に印刷する情報）を表示して、当該カード１を名刺として利用することも可能である。
【００３５】
このように構成すれば、例えば、名刺交換の際に複数枚の名刺（それぞれ色が異なる）を提示して好きなものを選択させることによって、簡易的なカラーセラピーを行なうことができると共に、これにより名刺交換をした相手に対して自分を強く印象付けることが可能となる。
【符号の説明】
【００３６】
１…カラーセラピー用カード
１０…カード本体
１０ａ…表面
１０ｂ…裏面
１２…樹脂フィルム（ラミネート処理部）
１４…非対称模様
１６…色の名称（診断ワード）
１８…色に対応した言葉（診断ワード）
【図１】
0003163519.tif 000003
【図２】
0003163519.tif 000004
【図３】
0003163519.tif 000005
【手続補正書】
【提出日】平成22年8月11日(2010.8.11)
【手続補正１】
【補正対象書類名】明細書
【補正対象項目名】０００８
【補正方法】変更
【補正の内容】
【０００８】  上記目的を達成するべく、請求項１に記載の本考案は、少なくとも片面に特定の色が施されたカラーセラピー用カードであって、前記片面に前記特定の色と共に前記特定の色以外の色で表示された非対称模様と、他面に表示された前記特定の色に対応する色の名称及び複数の診断ワードと、を備えることを特徴とする。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】変更
【補正の内容】
【００１０】  また請求項２に記載の考案は、請求項１に加えて、全面が樹脂フィルムでラミネート処理されていることを特徴とする。
【手続補正４】
【補正対象書類名】明細書
【補正対象項目名】００１１
【補正方法】変更
【補正の内容】
【００１１】  また請求項３に記載の考案は、請求項１又は２に加えて、大きさが名刺大とされていることを特徴とする。
【手続補正５】
【補正対象書類名】明細書
【補正対象項目名】００１２
【補正方法】変更
【補正の内容】
【００１２】  また請求項４に記載の考案は、請求項１〜３のいずれかに記載のカラーセラピー用カードが、複数の色のバリエーションとして用意されているカラーセラピー用カードセットとして発明を捉えたものである。
【手続補正６】
【補正対象書類名】明細書
【補正対象項目名】００１３
【補正方法】変更
【補正の内容】
【００１３】  また請求項５に記載の考案は、請求項４に加えて、各カードにおける前記片面には、前記非対称模様に加えて社名、氏名、会社住所が表示されていることを特徴とする。
【手続補正７】
【補正対象書類名】明細書
【補正対象項目名】００１４
【補正方法】変更
【補正の内容】
【００１４】  請求項１に記載の考案により、診断のバリエーションが広がる。例えば、カードの片面には色と共に非対称模様が表示されているので、この非対称模様を利用してカードを好みの方向（例えばその模様を見て一番しっくりする方向）に回転等し、その方向に何らかの意味を与えるような診断ができる。更に、カードの裏面（他面）には、カードの色に対応する言葉（例えば「静寂」、「飛躍」といった意味のある言葉）が複数表示されているので、選択したカードに記載されているこれら複数の診断ワードから更に好みの（若しくは好みでない）言葉等を選択させるといった診断が可能となる。また、色彩として視覚を通じて得られた感覚に加えて、文字情報として色を伝えることができ、診断をより確実なものにすることができる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】  請求項２に記載の考案により、繰り返し使用によるカードの折損、汚損等を防止でき、長期間に渡って正確な色を表現し続けることができる。
【手続補正１０】
【補正対象書類名】明細書
【補正対象項目名】００１７
【補正方法】変更
【補正の内容】
【００１７】  請求項３に記載の考案により、数多く存在する名刺入れ（カードケース）を利用して収納することができると共に、携帯性が向上する。
【手続補正１１】
【補正対象書類名】明細書
【補正対象項目名】００１８
【補正方法】変更
【補正の内容】
【００１８】  請求項５に記載の考案により、当該カードを名刺として利用することができると共に、名刺交換をする際に簡易的なカラーセラピーを行なうことができるので、相手に対して自己を強く印象付けるアイテムとして利用することができる。
【手続補正１２】
【補正対象書類名】実用新案登録請求の範囲
【補正対象項目名】全文
【補正方法】変更
【補正の内容】
【実用新案登録請求の範囲】
【請求項１】
少なくとも片面に特定の色が施されたカラーセラピー用カードであって、  前記片面に前記特定の色と共に前記特定の色以外の色で表示された非対称模様と、  他面に表示された前記特定の色に対応する色の名称及び複数の診断ワードと、を備える  ことを特徴とするカラーセラピー用カード。
【請求項２】
請求項１において、  全面が樹脂フィルムでラミネート処理されている  ことを特徴とするカラーセラピー用カード。
【請求項３】
請求項１又は２のいずれかにおいて、  大きさが名刺大とされている  ことを特徴とするカラーセラピー用カード。
【請求項４】
請求項１〜３のいずれかに記載のカラーセラピー用カードが、複数の色のバリエーションとして用意されているカラーセラピー用カードセット。
【請求項５】
請求項４において、各カードにおける前記片面には、前記非対称模様に加えて社名、氏名、会社住所が表示されている  ことを特徴とするカラーセラピー用カードセット。